(57)【要約】【課題】使用材料を削減して、製造コストの低減および製品の軽量化を図ることが可能なレンジフードを提供する。【解決手段】レンジフード１００は、内部に排気用ファンおよび排気用ファンを駆動するための機器が配設され、下部に排気用吸い込み口が形成されたケーシング１０と、ケーシング１０の下部に配設され、排気用吸い込み口を囲繞するフード部２０と、排気用吸い込み口の下方に位置する整流板と、ケーシング１０内に配設され、排気用ファンの起動／停止を制御する制御部と、フード部２０の前面に配置され、制御部に排気用ファンの起動／停止のための指令を入力するスイッチ部４０とを備え、排気を行う使用状態時に、整流板とフード部２０との間に、排気用吸い込み口に連通する狭幅の流路が形成されるように構成されている。上記機器または制御部とスイッチ部４０とを接続する電線６０は、フード部２０の上面に、下方に凹没するように形成された溝部７０に収容されている。【選択図】図４
2018044726.tif 000002
【特許請求の範囲】
【請求項１】
内部に排気用ファンおよび前記排気用ファンを駆動するための機器が配設され、下部に排気用吸い込み口が形成されたケーシングと、
前記ケーシングの下部に配設され、前記排気用吸い込み口を囲繞するフード部と、
前記排気用吸い込み口の下方に位置するように配設された整流板と、
前記ケーシング内に配設され、前記排気用ファンの起動および停止を制御する制御部と、
前記フード部の前面に配置され、前記制御部に前記排気用ファンの起動および停止のための指令を入力するスイッチ部とを備え、
前記排気用ファンにより排気を行う使用状態において、前記整流板と前記フード部との間に前記排気用吸い込み口に連通する狭幅の流路が形成されるように構成されたレンジフードであって、
前記ケーシング内の排気用ファンを駆動するための前記機器または前記制御部と、前記スイッチ部とが電線によって接続されており、かつ、
前記電線が、前記フード部の上面に、下方に凹没するように形成された溝部に収容されていること
を特徴とするレンジフード。
【請求項２】
前記溝部を上部から覆うように着脱可能に取り付けられる蓋体をさらに備えていることを特徴とする請求項１記載のレンジフード。
【請求項３】
前記蓋体の一端側が前記ケーシングと前記フード部との間に嵌入した状態で保持され、前記蓋体の他端側が固定具により前記フード部に固定されていることを特徴とする請求項２記載のレンジフード。
【請求項４】
前記ケーシングの前方を覆う幕板が前記フード部の上面の所定位置に配設されており、かつ、
前記幕板が前記所定位置に配設された状態において、前記蓋体の前記フード部への着脱を行うことができるように構成されていることを特徴とする請求項３記載のレンジフード。
【発明の詳細な説明】
【技術分野】
【０００１】
本発明は、レンジフード（換気装置）に関し、詳しくは、例えば、ガスコンロ、電気コンロ、電磁調理器（いわゆるＩＨ調理器）などの加熱調理器の上方に設置されて、調理中に発生する調理排気を含む空気を外部に排出するためのレンジフードに関する。
【背景技術】
【０００２】
煮物や揚げ物などの調理や、肉や魚などを焼くグリル料理などに用いられるガスコンロ、電気コンロ、電磁調理器（いわゆるＩＨ調理器）などの加熱調理器の上方に設置されて用いられるレンジフードの１つに、特許文献１に記載されているレンジフードがある。
【０００３】
このレンジフードは、整流板と排気用吸い込み口とを囲繞するフード部を有しており、フード部の下面は隔壁によって形成されているとともに、フード部の上面は天板によって形成されており、フード部が中空の二重構造となるように構成されている。
【０００４】
そして、天板と隔壁との間に形成される空間に、各種ハーネス（電線）やコネクタを配設することで、ハーネスやコネクタが排気中に含まれる油煙や湿気に曝されることが防止され、ハーネスやコネクタが油や水分などによって汚損されることが防止されるという特徴を有しており、コネクタの接触不良などを抑制することが可能で、信頼性の高いレンジフードを実現することが可能になる点において有意義である。
【０００５】
また、特許文献１の発明によれば、メンテナンス作業などの際に、作業者がハーネスやコネクタに触れる必要が生じた場合に、ハーネスやコネクタに付着した油や水分などが作業の妨げになることが抑制され、メンテナンス性の良好なレンジフードを実現することが可能になる。
【先行技術文献】
【特許文献】
【０００６】
【特許文献１】特開２０１２−２２９８５６号公報
【発明の概要】
【発明が解決しようとする課題】
【０００７】
しかしながら、フード部の下面を隔壁で構成するとともに、フード部の上面を天板で構成するようにした場合、フード部を構成する材料の使用量が増大してコストの上昇を招くばかりでなく、製品の重量の増加や大型化を招くという問題点がある。
【０００８】
本発明は、上記課題を解決するものであり、使用材料を削減することが可能で、製造コストの低減および製品の軽量化、小型化を図ることが可能なレンジフードを提供することを目的とする。
【課題を解決するための手段】
【０００９】
上記の目的を達成するために、本発明のレンジフードは、
内部に排気用ファンおよび前記排気用ファンを駆動するための機器が配設され、下部に排気用吸い込み口が形成されたケーシングと、
前記ケーシングの下部に配設され、前記排気用吸い込み口とを囲繞するフード部と、
前記排気用吸い込み口の下方に位置するように配設された整流板と、
前記ケーシング内に配設され、前記排気用ファンの起動および停止を制御する制御部と、
前記フード部の前面に配置され、前記制御部に前記排気用ファンの起動および停止のための指令を入力するスイッチ部とを備え、
前記排気用ファンにより排気を行う使用状態において、前記整流板と前記フード部との間に前記排気用吸い込み口に連通する狭幅の流路が形成されるように構成されたレンジフードであって、
前記ケーシング内の排気用ファンを駆動するための前記機器または前記制御部と、前記スイッチ部とが電線によって接続されており、かつ、
前記電線が、前記フード部の上面に、下方に凹没するように形成された溝部に収容されていること
を特徴としている。
【００１０】
本発明のレンジフードにおいては、前記溝部を上部から覆うように着脱可能に取り付けられる蓋体をさらに備えていることが好ましい。
【００１１】
また、前記蓋体の一端側が前記ケーシングと前記フード部との間に嵌入した状態で保持され、前記蓋体の他端側が固定具により前記フード部に固定されていることが好ましい。
【００１２】
前記ケーシングの前方を覆う幕板が前記フード部の上面の所定位置に配設されており、かつ、
前記幕板が前記所定位置に配設された状態において、前記蓋体の前記フード部への着脱を行うことができるように構成されていることが好ましい。
【発明の効果】
【００１３】
本発明のレンジフードにおいては、上述のように、排気用ファンを駆動するための機器または制御部とスイッチ部とを接続する電線を、フード部の上面に、下方に凹没する溝部に収容するようにしているので、従来のレンジフード、すなわち、フード部の下面が隔壁で構成され、フード部の上面が天板で構成された、フード部が二重構造になったレンジフードに比べて、構成材料の使用量を削減することが可能になるとともに、製品重量の削減や、小型化を実現することが可能になる。
【００１４】
また、溝部を上部から覆うように着脱可能に取り付けられる蓋体を備えた構成とした場合、溝部に収納される電線の汚損を抑制、防止することが可能になる。    
【００１５】
また、蓋体の一端側がケーシングとフード部との間に嵌入した状態で保持され、蓋体の他端側が固定具によりフード部に固定されている構成とした場合、蓋体のフード部への取り付けおよび取り外しが容易になり、メンテナンス性を向上させることができる。
【００１６】
また、ケーシングの前方を覆う幕板がフード部の上面の所定位置に配設されている状態において、蓋体のフード部への着脱を行うことができるように構成した場合、幕板が所定位置に配設された状態で、排気用ファンを駆動するための機器または制御部とスイッチ部とを接続する電線のメンテナンスを行うことが可能になり、本発明をより実効あらしめることができる。
【図面の簡単な説明】
【００１７】
【図１】垂下揺動可能な整流板がレンジフード使用時の位置にある場合の、本発明の実施形態にかかるレンジフードを下方から見た斜視図である。
【図２】整流板を垂下させた状態における、本発明の実施形態にかかるレンジフードを下方から見た斜視図である。
【図３】整流板を省略した状態における、本発明の実施形態にかかるレンジフードの下面図である。
【図４】本発明の実施形態にかかるレンジフードの、蓋体を取り外した状態の斜視図である。
【図５】本発明の実施形態にかかるレンジフードの、蓋体を取り外し、幕板を省略した状態の斜視図である。
【図６】本発明の実施形態にかかるレンジフードの、蓋体を取り付ける途中の状態を示す斜視図である。
【図７】本発明の実施形態にかかるレンジフードの、蓋体を取り付ける途中の、幕板を省略した状態の斜視図である。
【図８】本発明の実施形態にかかるレンジフードの、蓋体を装着した状態の斜視図である。
【図９】本発明の実施形態にかかるレンジフードの、蓋体を装着し、幕板を省略した状態の斜視図である。
【図１０】図３におけるＸ−Ｘ線断面図である。
【図１１】図３におけるＸＩ−ＸＩ線断面図である。
【図１２】図３におけるレンジフードのＬＥＤカバーを省略した図である。
【発明を実施するための形態】
【００１８】
以下、本発明の実施形態を示して、その特徴とするところをさらに詳しく説明する。
【００１９】
［実施形態］
この実施形態では、まず、この実施形態にかかるレンジフードの基本構成について説明した後、特徴的構成について説明する。
【００２０】
＜基本構成＞
本実施形態のレンジフード１００は、図示しない台所等に設置されるガスコンロの上方に配設されて使用される。
【００２１】
なお、本明細書において、前、後、上、下の各方向は、レンジフード１００が台所等に設置された状態を基準とする。例えば、レンジフード１００の前とは、後述するスイッチ部４０（図８参照）が設けられている側である。
【００２２】
図１〜図１２を用いて説明するように、レンジフード１００は、内部に排気用ファン１１が配設され、下部に排気用吸い込み口１２が形成されたケーシング１０と、ケーシング１０の下部に配設され、排気用吸い込み口１２を囲繞するフード部２０とを備えている。
【００２３】
排気用ファン１１は、例えば遠心ファン（シロッコファン）からなる。
【００２４】
ケーシング１０の下部、より具体的には、排気用ファン１１の下部に形成され、下方に開口した排気用吸い込み口１２は、フード部２０に設けられた排気用吸い込み部２１（図１０参照）と連通している。
【００２５】
ケーシング１０の内部には、排気用ファン１１とともに、排気用ファン１１を駆動するための機器であるモータ１３が配設されている。モータ１３の駆動によって排気用ファン１１を回転させると、フード部２０に設けられた排気用吸い込み部２１から吸引された空気は、排気用ファン１１の吹き出し部（図示せず）に接続された排気ダクト１４（図５、図７、図９参照）および排気ダクト１４に接続される延長ダクト（図示せず）を経由して、屋外に排出される。
【００２６】
フード部２０は、天板２２と、排気用吸い込み口１２を囲繞する側壁２３とを有し、下面が開口した平面視矩形状に形成されている。
【００２７】
排気用吸い込み口１２の下方には、平面視矩形状の整流板３０が配設されている。整流板３０の後端は、フード部２０の後方に設けられている支点２７（図２、図３参照）に固定されており、整流板３０は、支点２７を中心として、揺動自在に支持されている。
【００２８】
整流板３０が下方に垂下している状態（図２参照）から、使用状態位置に固定する場合には、支点２７を中心として、整流板３０の前端を前方上方に揺動させて、整流板３０の前端に設けられている固定具３１を、フード部２０の前方側に設けられている係止部２４に係止する。これにより、図１に示すように、整流板３０は、その使用状態位置に固定される。
【００２９】
レンジフード１００のメンテナンス時には、固定具３１を係止部２４から離脱させて、整流板３０の前端をフード部２０から離し、フード部２０の支点２７を中心として下方に回動させて、整流板３０をフード部２０から垂下させる（図２参照）。この状態では、フード部２０に設けられている排気用吸い込み部２１が露出しているので、容易にメンテナンスを行うことができる。
【００３０】
図１に示すように、整流板３０が使用状態位置に位置し、排気用ファン１１により排気を行う使用状態では、整流板３０の外周端部とフード部２０の側壁２３との間に、環状の狭幅の流路（以下、「環状流路」）２５が形成される（図１）。この環状流路２５は、フード部２０の下面と整流板３０の上面との間のフード内通路２６を介して、ケーシング１０の下部に設けられている排気用吸い込み口１２と連通している。
【００３１】
ここで、環状流路２５が狭幅に形成されていることにより、レンジフード１００の使用時に、整流板３０に衝突した汚染空気が狭幅の環状流路２５内ヘと高速で流入するようになる。これにより、フード部２０の外側への汚染空気の溢流が抑制されて、ケーシング１０の下部に設けられている排気用吸い込み口１２に流入する汚染空気の割合、すなわち捕獲率が向上する。
【００３２】
この実施形態にかかるレンジフード１００は、排気用ファン１１を回転させるためのモータ１３の駆動、停止、および速度変更を指令するためのスイッチ部４０を備えている。
【００３３】
そして、フード部２０の前面には、スイッチ部４０を構成するスイッチ操作部４０ａが配設されている（図１〜図１０、図１２参照）。スイッチ操作部４０ａは、モータ１３の駆動を停止させるための停止スイッチ、モータ１３を高速回転させるための強スイッチ、モータ１３を中速回転させるための中スイッチ、モータ１３を低速回転させるための弱スイッチ、照明スイッチ、およびチャイルドロックスイッチを含む。
【００３４】
また、スイッチ部４０を構成するスイッチ本体部４０ｂが、フード部２０の内側の前端側領域に配設されている（図１０参照）。このスイッチ本体部４０ｂはスイッチの構成部品を備えている。
【００３５】
スイッチ部４０からの指令信号は、ケーシング１０内に配置されている制御部（図示せず）に入力される。制御部は、スイッチ部４０からの信号に応じて、モータ１３の起動、回転速度、および停止を制御することにより、排気用ファン１１の起動、回転速度および停止を制御する。
【００３６】
照明スイッチは、フード部２０の下面に設けられているＬＥＤライト５０（図２、図３参照）をオン／オフするためのスイッチである。ＬＥＤライト５０がオフの状態で照明スイッチが押し操作されると、ＬＥＤライト５０がオンとなり、ＬＥＤライト５０がオンの状態で照明スイッチが押し操作されると、ＬＥＤライト５０がオフとなる。
【００３７】
チャイルドロックスイッチは、スイッチ操作部４０ａの誤操作などによって、排気用ファン１１が動作することを防ぐためのスイッチである。本実施形態では、チャイルドロックスイッチが所定時間（例えば、３秒）以上継続して押し操作されると、チャイルドロックモードに移行する。チャイルドロックモードに移行すると、制御部は、排気用ファン１１（モータ１３）の運転中には排気用ファン１１（モータ１３）の運転を停止させる。また、排気用ファン１１（モータ１３）の運転停止中には、上述した強スイッチ、中スイッチ、および弱スイッチのうちのいずれのスイッチが押し操作されても、排気用ファン１１（モータ１３）を回転させないように制御する。これにより、例えば老齢者等による誤操作を未然に防止することができる。
【００３８】
また、チャイルドロックモードにおいて、チャイルドロックスイッチが所定時間（例えば、３秒）以上継続して押し操作されると、チャイルドロックモードが解除されて、通常モード用制御に切り換わる。通常モード用制御では、上述した強スイッチ、中スイッチ、または弱スイッチの押し操作による排気用ファン１１（モータ１３）の回転が可能となる。
【００３９】
そして、強スイッチ、中スイッチ、あるいは、弱スイッチが押し操作されて、排気用ファン１１（モータ１３）が強回転、中回転、あるいは、弱回転で、レンジフード１００の運転がおこなわれているときは、台所等に設置されたガスコンロで発生した上昇汚染空気流が、ガスコンロ上方の吸い込み口である環状流路２５からレンジフード１００内に吸引され、さらに排気用ファン１１と排気ダクトを経て屋外へ排出される。
【００４０】
なお、チャイルドロックスイッチを設けずに、チャイルドロックモードへの移行を可能とする構成とすることもできる。例えば、２個以上のスイッチ（例えば、停止スイッチと照明スイッチ）を同時に押し操作した状態で、所定時間（例えば、３秒）以上経過すると、チャイルドロックモードに移行し、チャイルドロックモードにおいて、２個以上のスイッチ（例えば、停止スイッチと照明スイッチ）を同時に押し操作した状態で、所定時間（例えば、３秒）以上経過すると、チャイルドロックモードが解除されるようにする。このような構成とすることにより、チャイルドロックスイッチを省略して、構成部品の数を少なくすることができるので、コストを低減することができる。
【００４１】
＜特徴的構成＞
次に、本発明の実施形態にかかるレンジフード１００の特徴的な構成について説明する。
【００４２】
上述したように、排気用ファン１１の起動および停止を制御する制御部がケーシング１０内に配置され、スイッチ部４０を構成するスイッチ操作部４０ａがフード部２０の前面に配置されている。制御部とスイッチ部４０とは、溝部７０に収容された電線６０（図１０参照）によって接続されている。
【００４３】
図４〜図７および図１０〜図１１に示すように、フード部２０の上面、より具体的には、フード部２０の天板２２の上面には、下方に凸没するように溝部７０が形成されている。溝部７０は、フード部２０の天板２２の上面において、前方から後方へと延びる方向に形成されている。そして、上述した電線６０の少なくとも一部は、溝部７０に収容されている（図４および図１０参照）。
【００４４】
ここで、溝部７０は、図１１に示すように、長手方向に直交する方向の断面形状が円弧状に湾曲した浅い樋状の形状とされており、例えば、円筒状の部材を下から略四分の一の高さの位置で軸方向に切断した場合の下部分の形状を有している。
【００４５】
なお、本実施形態では、溝部７０は、直線状に形成されているが、直線以外の形状、例えば、曲折している形状や、湾曲している形状であってもよい。
【００４６】
本実施形態では、電線６０は、スイッチ部４０（詳しくは、スイッチ本体部４０ｂ）に接続されている電線６１と、制御部に接続されている電線６２とを含む。スイッチ部４０に接続されている電線６１と、制御部に接続されている電線６２は、コネクタ６３により接続されており、このコネクタ６３も、フード部２０の天板２２の上面に設けられている溝部７０に収容されている（図４参照）。
【００４７】
本実施形態では、溝部７０は、スイッチ本体部４０ｂが設けられているフード部２０の前端に達するまで延伸して設けられていない。このため、スイッチ部４０（詳しくは、スイッチ本体部４０ｂ）と接続されている電線６１は、フード部２０の天板２２の下面側と溝部７０内の空洞とを連通させる第１の貫通口７１（図１０、図１２）を通って、溝部７０に収納されている。
【００４８】
また、溝部７０は、フード部２０の天板２２において、ケーシング１０の底面の下方に至る位置まで形成されている。制御部に接続されている電線６２は、ケーシング１０の内部と溝部７０内の空洞とを連通させる第２の貫通口７２（図１０）を通って、溝部７０に収納されている。
【００４９】
ここで、溝部７０は、ケーシング１０の下側に位置する領域７０ａにおいて、例えば、図３および図１０に示すように、球を、その中心を通る平面に沿って切断することにより得られる半球を、さらに、円形の切断面の中心を通り、切断面と直交する平面により二等分することにより得られる、球を４つに分割した約１／４球の球面に相当するような部分球面状に形成されている。言い換えると、平面視で略半円状（図３参照）、側面視で円を構成する線分の長さの約１／４の長さの円弧状（図１０参照）となるような形状とされている。
【００５０】
そして、制御部に接続されている電線６２は、ケーシング１０の内部と溝部７０内の空洞とを連通させる第２の貫通口７２（図１０）を経て、溝部７０の約１／４球の形状を有する、ケーシング１０の下側に位置する領域７０ａを通り、溝部７０に収容されており、溝部７０内の空洞部分と、フード部２０の下面とは連通しないように構成されている。
【００５１】
これにより、制御部に接続され、ケーシング１０の内部から外部へと引き出された電線６２は、フード部２０の下面に露出することなく、直接溝部７０内に収容される。これにより、フード部２０の下面を通流する汚染空気に含まれる油煙などによって、電線６２（６０）が汚損されることが抑制される。
【００５２】
また、本実施形態では、フード部２０の天板２２の下面のうち、スイッチ部４０を構成するスイッチ本体部４０ｂが設けられている前側端部と、溝部７０の先端との間の所定領域は、ＬＥＤカバー５１によって覆われている（図１、図１０参照）。すなわち、フード部２０の下面側に存在するスイッチ本体部４０ｂおよび第１の貫通口７１を経てスイッチ本体部４０ｂと連通する溝部７０の先端領域と、フード部２０の下面側領域との間は、ＬＥＤカバー５１により仕切られており、連通していない。その結果、電線６２のスイッチ本体部４０ｂに接続される領域や、スイッチ本体部４０ｂがフード部２０内を通過する汚染空気に含まれる油煙などによって汚損されることを防止することが可能になる。
【００５３】
なお、図１２では、ＬＥＤカバー５１を省略した状態を示している。
【００５４】
本実施形態におけるレンジフード１００によれば、フード部２０の上面に設けられた溝部７０に、スイッチ部４０（詳しくはスイッチ本体部４０ｂ）と制御部とを接続する電線６０が収容される構成となっているので、レンジフード１００の構成材料を低減することが可能となり、製造コストの低減および製品の軽量化、小型化が可能となる。
【００５５】
ここで、本発明のような構成とせずに、スイッチ部（スイッチ本体部）と制御部とを接続する電線をフード部の天板の下面に配置し、電線を下方から覆うカバー体（例えば樋状のカバー体）を設ける構成が考えられる。しかしながら、このような構成とした場合、排気用ファンの運転時に、フード部の下面側を通過する汚染空気が、電線を下から覆うカバー体の周囲の縁部とフード部の天板の下面との当接面に形成された空隙を通過することにより、スイッチ部（スイッチ本体部）と制御部とを接続する電線が汚染空気に含まれる油煙などによって汚損されてしまう可能性がある。
【００５６】
これに対し、本発明によれば、スイッチ部４０（詳しくはスイッチ本体部４０ｂ）と制御部とを接続する電線６０が収容される溝部７０は、フード部２０の天板２２の上面に位置しているので、溝部７０に収納されている電線６０がフード部２０の天板２２の下面を通過する汚染空気に含まれる油煙によって汚損される事態は生じにくい。
【００５７】
本実施形態におけるレンジフード１００は、溝部７０を上部から覆う蓋体７３（図４〜図９参照）を備えている。溝部７０の上部が蓋体７３で覆われていることによって、溝部７０に収納されている電線６０の汚損をさらに抑制することができる。なお、本実施形態では、蓋体７３を設けた構成としているが、蓋体７３を省略した構成としてもよい。
【００５８】
蓋体７３の装着方法について説明する。
【００５９】
まず、蓋体７３の一端７３ａ（図４、図５、図１０参照）を、ケーシング１０とフード部２０との間に嵌入して保持する（図６、図７参照）。
【００６０】
続いて、蓋体７３の他端７３ｂ（図４、図５、図１０参照）をフード部２０に当接させて、固定具としてのネジ７４（図８、図９参照）を用いて、蓋体７３の他端７３ｂをフード部２０に固定する。これにより、蓋体７３の装着が完了する。
【００６１】
上述のように、本実施形態のレンジフード１００では、蓋体７３の一端７３ａを、ネジ等を用いないはめ込み式の方法により取り付け、蓋体７３の他端７３ｂをネジ７４にてフード部２０に固定するだけで、蓋体７３を装着することができる。したがって、蓋体７３のフード部２０への取り付け及び取り外し作業が容易になる。
【００６２】
なお、本実施形態では、蓋体７３の他端７３ｂをフード部２０に固定するために用いるネジ７４を１本としているが、２本以上のネジを用いるようにしてもよい。また、蓋体７３の他端７３ｂをフード部２０に固定するための固定具として、ネジ以外のものを用いてもよい。
【００６３】
また、本実施形態のレンジフード１００では、ケーシング１０の前方を覆う幕板８０がフード部２０の上面の所定位置に配設されている（図１、図２、図４、図６、図８、図１０、図１１参照）。なお、図５、図７、図９では、幕板８０を取り外した状態を示している。
【００６４】
本実施形態のレンジフード１００では、図６に示すように、蓋体７３のフード部２０への着脱は、幕板８０が所定位置に配設された状態でも行うことができるように構成されている。したがって、幕板８０がフード部２０の所定位置に配設された状態でも、蓋体７３を取り外して、制御部とスイッチ部４０（詳しくは、スイッチ本体部４０ｂ）とを接続する電線６０のメンテナンスを行うことができる。換言すると、制御部とスイッチ部４０（詳しくは、スイッチ本体部４０ｂ）とを接続する電線６０のメンテナンスを行う際に、幕板８０を取り外す必要がないので、メンテナンス性が良い。
【００６５】
本発明は、上記実施形態に限定されるものではなく、本発明の範囲内において種々の変形を加えることが可能である。
【００６６】
例えば、上述した実施形態では、排気用ファン１１の起動および停止を制御する制御部とスイッチ部４０（詳しくは、スイッチ本体部４０ｂ）とが電線６０によって接続されている構成としているが、排気用ファン１１を駆動するための機器であるモータ１３とスイッチ部４０（詳しくは、スイッチ本体部４０ｂ）とが電線６０により接続されており、スイッチ部４０の操作により、モータ１３の起動および停止を直接制御する構成としてもよい。その場合にも、モータ１３とスイッチ部４０とを接続する電線６０を、フード部２０の天板２２の上面に、下方に凹没するように形成された溝部７０に収容することにより、レンジフード１００の構成材料を低減することが可能となり、製造コストの低減および製品の軽量化、小型化が可能となる。
【００６７】
上述した実施形態では、排気用ファン１１の回転速度を、高速回転、中速回転、および低速回転の３段階で切り替えられる構成としているが、２段階以下、または４段階以上の回転速度で切り替えることができる構成としてもよい。
【００６８】
本発明のレンジフード１００は、加熱調理器がガスコンロの場合に限らず、電気コンロ、電磁調理器（いわゆるＩＨ調理器）などの加熱調理器の上方に設置されて、調理中に発生する調理排気を含む空気を外部に排出するためのレンジフードとして使用することができる。
【符号の説明】
【００６９】
１０    ケーシング
１１    排気用ファン
１２    排気用吸い込み口
１３    モータ
１４    排気ダクト
２０    フード部
２１    排気用吸い込み部
２２    天板
２３    フード部の側壁
２４    係止部
２５    狭幅の流路
２６    フード内通路
２７    支点
３０    整流板
３１    固定具
４０    スイッチ部
４０ａ  スイッチ操作部
４０ｂ  スイッチ本体部
５０    ＬＥＤライト
５１    ＬＥＤカバー
６０    電線
６１    スイッチ部に接続されている電線
６２    制御部に接続されている電線
６３    コネクタ
７０    溝部
７０ａ  溝部のケーシングの下側に位置する領域
７１    第１の貫通口
７２    第２の貫通口
７３    蓋体
７３ａ  蓋体の一端
７３ｂ  蓋体の他端
７４    蓋体の他端を固定するためのネジ
８０    幕板
１００  レンジフード
【図１】
2018044726.tif 000003
【図２】
2018044726.tif 000004
【図３】
2018044726.tif 000005
【図４】
2018044726.tif 000006
【図５】
2018044726.tif 000007
【図６】
2018044726.tif 000008
【図７】
2018044726.tif 000009
【図８】
2018044726.tif 000010
【図９】
2018044726.tif 000011
【図１０】
2018044726.tif 000012
【図１１】
2018044726.tif 000013
【図１２】
2018044726.tif 000014